(57)【特許請求の範囲】
【請求項１】
静止画像データを記憶する静止画像メモリと、
それぞれＡフィールド画像データ及びＢフィールド画像データを記憶するＡフィールドメモリ及びＢフィールドメモリと、
前記Ａフィールドメモリ及びＢフィールドメモリからＡフィールド画像データとＢフィールド画像データとを交互に読み出すとともに、現在読出し中のフィールドを示すフィールドインデックス信号を出力する読出手段と、
前記静止画像メモリに記憶された静止画像データによって前記Ａフィールドメモリ及びＢフィールドメモリに記憶されたＡフィールド画像データ及びＢフィールド画像データを更新する書込手段であって、更新時には、前記読出手段から出力されるフィールドインデックス信号に同期して、該フィールドインデックス信号がＡフィールドを示すときには前記静止画像メモリからＢフィールド画像データを読み出して該Ｂフィールド画像データを前記Ｂフィールドメモリに書き込み、フィールドインデックス信号がＢフィールドを示すときには前記静止画像メモリからＡフィールド画像データを読み出して該Ａフィールド画像データを前記Ａフィールドメモリに書き込み、非更新時には、前記Ａフィールドメモリ及びＢフィールドへのフィールド画像データの書き込みを行わない書込手段と、
を備えたことを特徴とするデジタル画像更新装置。
【請求項２】
前記Ａフィールドメモリ及び前記Ｂフィールドメモリはフィールド画像データの書き込みと読み出しを同時に行うことができないことを特徴とする請求項１のデジタル画像更新装置。
【発明の詳細な説明】
【０００１】
【発明の属する技術分野】
本発明はデジタル画像更新装置に係り、特にＡフィールドメモリとＢフィールドメモリとを備え、これらのフィールドメモリから交互にフィールド画像データを読み出してデジタル画像をモニタ表示するとともに、これらのフィールドメモリのフィールド画像データを書き換えてモニタ表示するデジタル画像を更新するデジタル画像更新装置に関する。
【０００２】
【従来の技術】
従来、画像メモリに記憶した複数の画像を順次更新してモニタＴＶ等の表示手段に表示する場合、図５に示すように、画像メモリ１２に記憶した複数の画像データの中から表示するフレーム画像のＡフィールドとＢフィールド（奇数フィールドと偶数フィールド）の画像データを読み出し、これらのフィールド画像データをＡフィールドとＢフィールドとに用意された表示バッファ（Ａフィールドメモリ１４、Ｂフィールドメモリ１６）に記憶させる。そして、表示バッファに記憶させたＡフィールドとＢフィールドのフィールド画像データ（以下、Ａフィールド画像データ、Ｂフィールド画像データという）を交互に信号処理回路１８に読み出してビデオ信号を生成し、モニタＴＶ等の表示手段に所定時間表示するようにしている。
【０００３】
ところで、モニタＴＶに表示するフレーム画像を新しいフレーム画像に更新する際に、従来は以下に示すような方法でＡフィールドメモリ１４とＢフィールドメモリ１６のフィールド画像データの書き換えを行っていた。
まず、第１の方法としては図６のタイミングチャートに示すように、Ａフィールドメモリ１４とＢフィールドメモリ１６のフィールド画像データを書き換える際に、Ａフィールドメモリ１４及びＢフィールドメモリ１６を同時に書き込みモードにし、新しく表示するフレーム画像のＡフィールド画像データとＢフィールド画像データを１ライン周期で同時にＡフィールドメモリ１４とＢフィールドメモリ１６に記憶させる。そして、Ａフィールドメモリ１４とＢフィールドメモリ１６に新しくフィールド画像データを記憶させた後に、Ａフィールドメモリ１４及びＢフィールドメモリ１６をともに読み出しモードにしてこれらフィールドメモリから交互にフィールド画像データを読み出す。
【０００４】
また、第２の方法としては図７のタイミングチャートに示すように、Ａフィールドメモリ１４とＢフィールドメモリ１６のフィールド画像データを書き換える際に、まず、Ａフィールドメモリ１４を書き込みモードにし（Ｂフィールドメモリ１６は読み出しモードのままにする）、Ａフィールドメモリ１４に新しく表示するフレーム画像のＡフィールド画像データを記憶させるとともにＢフィールドメモリ１６からＢフィールドのフィールド画像データを読み出す。次に、Ａフィールドメモリ１６を読み出しモードにし、Ｂフィールドメモリ１６を書き込みモードにして、Ｂフィールドメモリ１６に新しく表示するフレーム画像のＢフィールド画像データを記憶させるとともにＡフィールドメモリ１４からＡフィールド画像データを読み出す。Ａフィールドメモリ１４とＢフィールドメモリ１６に新しくフィールド画像データを記憶させた後は、Ａフィールドメモリ１４及びＢフィールドメモリ１６をともに読み出しモードにしてこれらフィールドメモリから交互にフィールド画像データを読み出す。
【０００５】
【発明が解決しようとする課題】
しかしながら、上記第１の方法では、Ａフィールドメモリ１４とＢフィールドメモリ１６のフィールド画像データを書き換える際に、Ａフィールドメモリ１４とＢフィールドメモリ１６を同時に書き込みモードとするため、Ａフィールドメモリ１４及びＢフィールドメモリ１６からフィールド画像データの読み出しを行うことができない。したがって、このときモニタＴＶにビデオ信号を出力できず、図６のように一瞬画像を黒くミュートするため、画面が黒くちらつくという問題がある。
【０００６】
一方、上記第２の方法のように、片フィールドずつの書き換えを行うと黒くミュートすることなく表示できるが、表示フィールドの動きと、読み出し／書き換えフィールドのうごきに同期が取られていないため、図７のようにＡフィールドとＢフィールドの読み出しの順序がずれると、一瞬縦に１ライン分がたつくという問題がある。
【０００７】
本発明はこのような事情に鑑みてなされたもので、画面に表示するデジタル画像を更新する際に、画面に発生するちらつきやがたつき等をなくし、なめらかに表示画像を更新するデジタル画像更新装置を提供することを目的とする。
【０００８】
【課題を解決するための手段】
本発明は前記目的を達成するために、静止画像データを記憶する静止画像メモリと、それぞれＡフィールド画像データ及びＢフィールド画像データを記憶するＡフィールドメモリ及びＢフィールドメモリと、前記Ａフィールドメモリ及びＢフィールドメモリからＡフィールド画像データとＢフィールド画像データとを交互に読み出すとともに、現在読出し中のフィールドを示すフィールドインデックス信号を出力する読出手段と、前記静止画像メモリに記憶された静止画像データによって前記Ａフィールドメモリ及びＢフィールドメモリに記憶されたＡフィールド画像データ及びＢフィールド画像データを更新する書込手段であって、更新時には、前記読出手段から出力されるフィールドインデックス信号に同期して、該フィールドインデックス信号がＡフィールドを示すときには前記静止画像メモリからＢフィールド画像データを読み出して該Ｂフィールド画像データを前記Ｂフィールドメモリに書き込み、フィールドインデックス信号がＢフィールドを示すときには前記静止画像メモリからＡフィールド画像データを読み出して該Ａフィールド画像データを前記Ａフィールドメモリに書き込み、非更新時には、前記Ａフィールドメモリ及びＢフィールドへのフィールド画像データの書き込みを行わない書込手段と、を備えたことを特徴としている。
【０００９】
本発明によれば、読出手段はＡフィールドメモリ及びＢフィールドメモリからＡフィールド画像データとＢフィールド画像データとを交互に読み出すとともに、現在読出し中のフィールドを示すフィールドインデックス信号を出力する。
画像メモリに記憶されたフィールド画像データによって前記Ａフィールドメモリ及びＢフィールドメモリに記憶されたＡフィールド画像データ及びＢフィールド画像データを更新する際には、書込手段が前記読出手段から出力されるフィールドインデックス信号に同期して、このフィールドインデックス信号がＡフィールドを示すときには前記画像メモリからＢフィールド画像データを読み出してこのＢフィールド画像データを前記Ｂフィールドメモリに書き込み、フィールドインデックス信号がＢフィールドを示すときには前記画像メモリからＡフィールド画像データを読み出してこのＡフィールド画像データを前記Ａフィールドメモリに書き込む。
【００１０】
これにより、Ａフィールドメモリ及びＢフィールドメモリに記憶されたＡフィールド画像データ及びＢフィールド画像データを更新する際にも、読出手段はフィールド画像データの読み出し順序を変更することなく、Ａフィールドメモリ及びＢフィールドメモリからＡフィールド画像データとＢフィールド画像データを交互に読み出すことができる。
【００１１】
【発明の実施の形態】
以下添付図面に従って本発明に係るデジタル画像更新方法及び装置の好ましい実施の形態を詳説する。
まず、本発明に係るデジタル画像更新装置が適用されるフイルムスキャナ装置について説明する。
【００１２】
図１はフイルムスキャナ装置に適用されるフイルムカートリッジの一実施例を示す図である。
同図に示すようにフイルムカートリッジ１１０は、単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
【００１３】
このフイルムカートリッジ１１０を使用するカメラは、カメラ内蔵の磁気ヘッドによって前記フイルム１１４の磁気記録層１１４Ｂに各種の磁気データをコマ毎に記録することができる。記録される磁気データとしては、例えば、コマ番号、ハイビジョン画像、パノラマ画像及び通常画像のいずれかを示すプリントフォーマット、撮影日／時刻等が考えられるが、その他、カメラによって多数種類のデータを記録することができる。また、前記写真フイルム１１４には、被写体光によって露光されるコマ領域以外にフイルムタイプ、コマ番号等を示すバーコードや、撮影時にカメラ内蔵の光源によってプリントフォーマット等を示すデータを光学的に記録することができる。
【００１４】
図２はフイルムスキャナ装置の内部構成の一実施例を示すブロック図である。このフイルムスキャナ装置は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００１５】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられる。
【００１６】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００１７】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００１８】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行う。
【００１９】
第２信号処理回路１５２はマトリクス回路を有し、入力するＲ，Ｇ，Ｂ信号に基づいて輝度信号Ｙ及びクロマ信号Ｃr/b を生成し、これらをメモリ制御回路１５４に出力する。
メモリ制御回路１５４は、上記輝度信号Ｙ及びクロマ信号Ｃr/b のＣＣＤバッファＭ１への書込み／読出しを制御するとともに、ＣＣＤバッファＭ１に記憶された輝度信号Ｙ及びクロマ信号Ｃr/b の表示バッファＭ２への書込み／読出しを制御する。尚、ＣＣＤバッファＭ１及び表示バッファＭ２への書込み／読出し制御の詳細については後述する。
【００２０】
メモリ制御回路１５４によって表示バッファＭ２から読み出される輝度信号Ｙ及びクロマ信号Ｃr/b は、第３信号処理回路１５３に加えられる。第３信号処理回路１５３は、入力する輝度信号Ｙ及びクロマ信号Ｃr/b に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５３及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２１】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図２上で時計回り方向に駆動し、フイルム先端がフイルム巻取部によって巻き取られるまでフイルムカートリッジ１１０からフイルム１１４を送り出すようにしている。
【００２２】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２３】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
【００２４】
次に、上記フイルムスキャナ装置においてフイルムのコマ画像をモニタＴＶにインデックス表示する際の作用を簡単に説明する。
フイルムカートリッジ１１０をフイルムスキャナ装置にセットすると、ＣＰＵ１６０はフイルム駆動メカ１７０を制御してフイルムローディングを実行する。即ち、フイルムカートリッジ１１０からフイルム１１４を送り出し、フイルム先端をフイルム巻取部の巻取軸に巻き付ける。
【００２５】
フイルムローディングが完了すると、フイルム１１４の第１のプリスキャンを実行する。即ち、フイルム１１４を高速で順方向に給送する。第１のプリスキャン時には、ＣＣＤラインセンサ１４２を介して画像データが取り込まれるとともに、光学データ読取装置１８０及び磁気記録再生装置１８２を介して光学データ及び磁気データが読み取られる。尚、ＣＰＵ１６０は、この時取り込んだ画像データに基づいて各コマ毎にＲ，Ｇ，Ｂの色信号別のオフセット量を示すオフセットデータ及びゲイン調整量を示すＡＥデータをＲＡＭ１６０Ａに記憶する。また、各コマの明るさを示すＡＥデータをＲＡＭ１６０Ａに記憶する。
【００２６】
次に、フイルム１１４の第２のプリスキャンを実行する。即ち、フイルム１１４を高速で逆方向に給送する。第２のプリスキャン時には、再びＣＣＤラインセンサ１４２を介して画像データが取り込まれる。この画像データの取込み時には、ＣＰＵ１６０はＲＡＭ１６０Ａに記憶したＡＥデータに基づいて絞り制御装置１６４を介して各コマ毎に絞り１３４を制御する。
【００２７】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。このように上記ＡＥデータ、ＡＷＢデータ等に基づいて各コマの画像データを調整しているため、各コマの撮影条件にかかわらず、良好な画像データを取り込むことができる。
【００２８】
このようにして調整された各コマの画像データ、即ち、第２信号処理回路１５２から出力される輝度信号Ｙ及びクロマ信号Ｃr/b は、メモリ制御回路１５４を介してＣＣＤバッファＭ１に順次記憶される。
さて、ＣＣＤバッファＭ１には、各コマの画像データが４０コマ（フイルム１１４に記録されているコマ数）分順次記憶される。ＣＣＤバッファＭ１への上記記憶動作中にも、ＣＣＤバッファＭ１の記憶内容は表示バッファＭ２に転送され、その結果、順次コマ画像が表示されることになる。
【００２９】
表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ（モニタＴＶはビデオ出力端子１５８に接続される）では１行分だけ上方向にスクロールしたインデックス画像が表示されることになる。このようにして全コマの画像データがＣＣＤバッファＭ１に記憶されると、モニタＴＶには再びコマ番号１〜２０までのインデックス画像が表示されるように下方向にスクロール又は画面が切り替えられる。
【００３０】
上記のようにしてインデックス画像の作成が行われ、インデックス画像がモニタＴＶに表示されると、続いてインデックス画像を見ながらキーパッド１２０を使用し、対話形式でモニタＴＶに１コマ表示するために必要な編集、その他の指定を行う。
以上のようにフイルムスキャナ装置においてメモリ制御回路１５４は画像データ（デジタル画像データ）の記憶されたＣＣＤバッファＭ１から所望の画像データを読み出して表示バッファＭ２に書き込み、表示バッファＭ２から画像データを読み出してモニタＴＶに表示する。
【００３１】
以下、メモリ制御回路１５４によって行われるＣＣＤバッファＭ１から表示バッファＭ２へのデジタル画像データの書き込み／読出し（デジタル画像更新）制御の詳細について説明する。尚、以下においてメモリ制御回路１５４に係わる装置をデジタル画像更新装置と称し、このデジタル画像更新装置に関して詳述する。尚、デジタル画像更新装置は、上記フイルムスキャナ装置に限らず他の画像表示装置等にも適用される。
【００３２】
図３は本発明に係るデジタル画像更新装置の一実施例を示す構成図である。
図３に示すようにデジタル画像更新装置は制御部１０Ａ、１０Ｂ、画像メモリ１２、Ａフィールドメモリ１４、Ｂフィールドメモリ１６、信号処理回路１８から構成される。尚、上記フイルムスキャナ装置においては、制御部１０Ａ、１０Ｂがメモリ制御回路１５４、画像メモリ１２がＣＣＤバッファＭ１、Ａフィールドメモリ１４及びＢフィールドメモリ１６が表示バッファＭ２に相当する。
【００３３】
画像メモリ１２は複数のフレーム画像の画像データを記録する。このフレーム画像の画像データはＡフィールドとＢフィールド（奇数フィールドと偶数フィールド）の２枚のフィールド画像データから構成され、これらは制御部１０Ａの読み出し信号によって、所望のフィールド画像データが対応したフィールドのフィールドメモリに出力される。即ち、Ａフィールドのフィールド画像データ（Ａフィールド画像データ）は、制御部１０Ａから読み出し信号が加えられるとＡフィールドメモリ１４に出力され、Ｂフィールドの画像データ（Ｂフィールド画像データ）は読み出し信号が加えられるとＢフィールドメモリ１６に出力される。
【００３４】
Ａフィールドメモリ１４及びＢフィールドメモリ１６は上記のように画像メモリ１２から出力されたフィールド画像データを１フィールド分記憶し、制御部１０Ｂから読み出し信号が加えられると記憶したフィールド画像データを信号処理回路１８に出力する。尚、詳細は後述する。
信号処理回路１８は、上記Ａフィールドメモリ１４又はＢフィールドメモリ１６から出力されたフィールド画像データに各種信号処理を施してビデオ信号を生成し、モニタＴＶ等の表示装置に出力する。
【００３５】
次に上記デジタル画像更新装置の作用を詳説する。
Ａフィールドメモリ１４にＡフィールド画像データを書き込む際、即ち、画像メモリ１２から所望のフレーム画像のＡフィールド画像データを読み出して、このＡフィールド画像データをＡフィールドメモリ１４に記憶させる際に、制御部１０ＡはＡフィールドメモリ１４に書き込みモード信号を出力し、Ａフィールドメモリ１４を書き込みモードとし、画像メモリ１２に読み出し信号を出力して表示するフレーム画像のＡフィールド画像データをＡフィールドメモリ１４に出力する。Ｂフィールドメモリ１６にＢフィールド画像データを書き込む際も同様に行われる。これにより、所望のフレーム画像のフィールド画像データをＡフィールドメモリ１４及びＢフィールドメモリ１６に記憶させることができる。
【００３６】
一方、Ａフィールドメモリ１４又はＢフィールドメモリ１６からフィールド画像データを読み出す際、即ち、Ａフィールドメモリ１４又はＢフィールドメモリ１６から信号処理回路１８にフィールド画像データを出力させる際には、制御部１０ＢはＡフィールドメモリ１４又はＢフィールドメモリ１６に読み出し信号を加え、Ａフィールドメモリ１４又はＢフィールドメモリ１６からフィールド画像データを信号処理回路１８に出力させる。このとき、制御部１０Ｂは、Ａフィールドメモリ１４とＢフィールドメモリ１６に交互に読み出し信号を出力し、Ａフィールド画像データとＢフィールド画像データを交互に読み出す。
【００３７】
ところで、フィールドメモリからのフィールド画像データの読み出しは、フィールドメモリが読み出しモードとなっている場合、即ち、書き込みモードではない場合にのみ行うことができるため、制御部１０ＡはＡフィールドメモリ１４又はＢフィールドメモリ１６にフィールド画像データを書き込む際には、Ａフィールドメモリ１４とＢフィールドメモリ１６からのフィールド画像データの読み出しに同期させている。
【００３８】
即ち、制御部１０Ａは、制御部１０Ｂから出力されるフィールドインデックス信号によって、現在フィールド画像データの読み出しが行われているフィールドメモリを検知する。図４のタイミングチャートに示すように、フィールドインデックス信号はＡフィールドメモリ１４からＡフィールドの画像データの読み出しが行われている場合には、Ｌｏｗレベルの信号となり、Ｂフィールドメモリ１６からＢフィールドの画像データの読み出しが行われている場合には、Ｈｉｇｈレベルの信号となる。
【００３９】
制御部１０Ａは、フィールド画像データをフィールドメモリに書き込む際に、このフィールドインデックス信号を参照し、フィールド画像データの読み出しが行われないフィールドメモリを書き込みモードにするとともに、このフィールドに対応するフィールド画像データの書き込みを行う。
例えば、図４に示すようにフィールドメモリにフィールド画像データの書き込みを開始する直前にフィールドインデックス信号によってＢフィールドメモリ１６からＢフィールド画像データの読み出しが行われていると検知した場合には、まず、Ｂフィールド画像データの書き込みを行う。この場合、制御部１０Ａは、Ｂフィールドメモリ１６に書き込みモード信号を出力してＢフィールドメモリ１６を書き込みモードにし、画像メモリ１２に読み出し信号を出力してＢフィールド画像データをＢフィールドメモリ１６に出力させる。このとき、Ａフィールドメモリ１４には読み出しモード信号を出力してＡフィールドメモリ１４を読み出しモードにする。
【００４０】
次に、Ａフィールドメモリ１４に書き込みモード信号を出力してＡフィールドメモリ１４を書き込みモードにし、画像メモリ１２に読み出し信号を出力してＡフィールド画像データをＡフィールドメモリ１４に出力させる。このときＢフィールドメモリ１６には読み出しモード信号を出力してＢフィールドメモリ１６を読み出しモードにする。
【００４１】
以上のように、フィールドインデックス信号によってフィールド画像データの読み出しが行われている（又は行われていない）フィールドメモリを検出し、フィールドメモリにフィールド画像データを書き込む際には、フィールド画像データの読み出しが行われていないフィールドメモリにフィールド画像データを書き込むようにする。
【００４２】
これにより、モニタＴＶ等の表示装置にはＡフィールドとＢフィールドの画像データが交互に出力される。即ち、同期信号の乱れのない、インターレスされた映像信号が出力されるので、表示画像の更新の際のちらつきやがたつきを防止することができる。
【００４３】
【発明の効果】
以上説明したように本発明に係るデジタル画像更新方法及び装置によれば、画像メモリに記憶されたフレーム画像データによって前記Ａフィールドメモリ及びＢフィールドメモリに記憶されたＡフィールド画像データ及びＢフィールド画像データを更新する際に、読出手段から出力されるフィールドインデックス信号を参照して、フィールド画像データの読み出しが行われていないフィールドメモリのフィールド画像データを更新するようにしたため、フィールド画像データを更新する際にも、読出手段はフィールド画像データの読み出し順序を変更することなく、Ａフィールドメモリ及びＢフィールドメモリからＡフィールド画像データとＢフィールド画像データを交互に読み出すことができる。これにより、表示画像の更新の際に、画面にちらつきやがたつき等が発生することなく、なめらかに表示画像を更新することができる。
【図面の簡単な説明】
【図１】図１は本発明に係るデジタル画像更新装置が適用されるフイルムスキャナ装置に適用されるフイルムカートリッジの一実施例を示す図である。
【図２】図２は本発明に係るデジタル画像更新装置が適用されるフイルムスキャナ装置の内部構成の一実施例を示すブロック図である。
【図３】図３は本発明に係るデジタル画像更新装置の一実施例を示す構成図である。
【図４】図４は本発明に係るデジタル画像更新装置の表示画像更新の手順の一実施例を示したタイミングチャートである。
【図５】図５はデジタル画像更新装置の構成を示した構成図である。
【図６】図６はデジタル画像更新装置の表示画像更新手順の従来における第１の方法を示したタイミングチャートである。
【図７】図７はデジタル画像更新装置の表示画像更新手順の従来における第２の方法を示したタイミングチャートである。
【符号の説明】
１０Ａ、１０Ｂ…制御部
１２…画像メモリ
１４…Ａフィールドメモリ
１６…Ｂフィールドメモリ
１８…信号処理回路
【図１】
0003704692.tif 000002
【図２】
0003704692.tif 000003
【図３】
0003704692.tif 000004
【図４】
0003704692.tif 000005
【図５】
0003704692.tif 000006
【図６】
0003704692.tif 000007
【図７】
0003704692.tif 000008